(57)【要約】【課題】冷却のための電力消費をなくすとともに冷却のための動作音を抑制する。【解決手段】交流電力出力部２２０と交流電力出力部２２０に接続されている負荷２３０とを有する電気機器の内部の所定箇所を冷却対象箇所２１０ａとして冷却を行う電気機器の冷却装置１００であって、磁性体からなる芯材１１１と、芯材１１１に巻回され、交流電力出力部２２０と負荷２３０との間に直列に接続されている巻き線部１１２とを有し、巻き線部１１２に流れる電流の方向が反転することにより、芯材１１１の一方の端部１１１ａ及び他方の端部１１１ｂの極性がそれぞれ反転する電磁石１１０と、冷却対象箇所２１０ａに対して送風可能な位置に設けられ、支持部１２１を支点として首振り動作を行う送風板１２０と、芯材の一方の端子１１１ａに対して吸着／反発動作が可能となるように送風板１２０に取り付けられている永久磁石１３０とを備える。【選択図】図１
2013213970.tif 000002
【特許請求の範囲】
【請求項１】
交流電力の出力が可能な交流電力出力部と当該交流電力出力部に接続されている負荷とを有する電気機器の内部の所定箇所を冷却対象箇所として冷却を行う電気機器の冷却装置であって、
磁性体からなる芯材と、当該芯材に巻回され、前記交流電力出力部と負荷との間に直列に接続されている巻き線部とを有し、前記巻き線部に流れる電流の方向が反転することにより、前記芯材の一方の端部及び他方の端部の極性がそれぞれ反転する電磁石と、
前記冷却対象箇所に対して送風可能な位置に設けられ、一端が支持部によって支持され、当該支持部を支点として首振り動作を行う送風板と、
前記芯材の一方の端子に対して吸着／反発動作が可能となるように前記送風板に取り付けられている永久磁石と、
を備え、
前記交流電力出力部から出力される交流電力の周波数に対応した周期で前記送風板を首振り動作させ、当該首振り動作により発生する風によって前記冷却対象箇所を冷却することを特徴とする電気機器の冷却装置。
【請求項２】
請求項１に記載の電気機器の冷却装置において、
前記送風板は、弾性を有する板で形成されていることを特徴とする電気機器の冷却装置。
【請求項３】
請求項１又は２に記載の電気機器の冷却装置において、
前記永久磁石は、前記送風板の先端部と前記支持部の側の根元部との間の中間位置よりも前記根元部の側に取り付けられていることを特徴とする電気機器の冷却装置。
【請求項４】
請求項１〜３のいずれかに記載の電気機器の冷却装置において、
前記交流電力出力部は、インバーター回路であることを特徴とする電気機器の冷却装置。
【請求項５】
請求項１〜４のいずれかに記載の電気機器の冷却装置において、
前記交流電力出力部は、交流電力の周波数を変化させることができる制御部を有し、前記制御部によって前記周波数を制御することにより、前記芯材の一方の端部及び他方の端部の極性が反転する周期を制御可能とすることを特徴とする電気機器の冷却装置。
【請求項６】
請求項５に記載の電気機器の冷却装置において、
前記冷却対象箇所が前記電気機器の電気部品のうちのある特定の電気部品である場合、
前記制御部は、前記特定の電気部品の温度又は当該電気部品を流れる電流値の少なくとも一方に基づいて前記交流電力の周波数を制御することを特徴とする電気機器の冷却装置。
【請求項７】
請求項１〜６のいずれかに記載の電気機器の冷却装置において、
前記負荷が直流電力で駆動される負荷である場合には、前記交流電力出力部から出力される交流電力を直流電力に変換する交流／直流変換部を設け、
前記電磁石の巻き線部は、前記交流電力出力部と交流／直流変換部との間に直列に接続することを特徴とする電気機器の冷却装置。
【請求項８】
画像を投写するための光源と、当該光源を交流電力によって駆動するバラスト回路と、を有するプロジェクターであって、
請求項１〜７のいずれかに記載の電気機器の冷却装置を備えていることを特徴とするプロジェクター。
【請求項９】
請求項８に記載のプロジェクターにおいて、
前記バラスト回路を前記交流電力出力部として用いることを特徴とするプロジェクター。
【請求項１０】
請求項８又は９に記載のプロジェクターにおいて、
前記冷却対象箇所は、前記光源であることを特徴とするプロジェクター。
【発明の詳細な説明】
【技術分野】
【０００１】
本発明は、電気機器内部の所定箇所を冷却対象箇所として冷却を行う電気機器の冷却装置及び当該電気機器の冷却装置を用いたプロジェクターに関する。
【背景技術】
【０００２】
発熱性の電気回路部品が用いられている電気機器においては、当該電気機器の使用時に電気機器内部が高温となるため、冷却装置が設けられているものが多い。特に、点灯時に高温となるランプを有するプロジェクターにおいては、プロジェクターの使用時においてプロジェクター内部は高温となる。このため、プロジェクターには冷却装置が設けられている。
【０００３】
従来、プロジェクターなどの電気機器に設けられる冷却装置としては、電動ファンが用いられ、当該電動ファンが回転することによって発せられる風（冷却風という）を、熱源となる箇所に流通させたのちに外部に流出させるようにして、電気機器内部を冷却している（例えば、特許文献１参照）。
【０００４】
特許文献１に記載の技術（従来技術という。）は、冷却機能を備えた電源装置であって、外部から入力される交流電力を直流電力に変換して出力する主電源部と、主電源部を冷却するための電動ファンと、電源装置を制御する機能及びタイマー回路を制御する機能を有する電源制御部とを備えている。
【先行技術文献】
【特許文献】
【０００５】
【特許文献１】特開２００５−２６９８６４号公報
【発明の概要】
【発明が解決しようとする課題】
【０００６】
しかしながら、従来技術は、冷却装置としては、電動ファンを用いているため、当該電動ファンを回転させるための駆動源と、当該駆動源を駆動するための電力が必要となる。すなわち、従来技術においては、電気機器本来の動作（電気機器がプロジェクターであれば投写動作など）を行うための電力とは別に、冷却を行うための電力も必要なり、これは、プロジェクター本来の動作に必要な電力消費に対して余分な電力消費であるともいえる。また、電動ファンが回転する際の回転音は比較的大きな音となって現れ、耳触りに感じる場合もある。なお、このような課題は、プロジェクターに限られるものではなく、この種の冷却装置を有する電気機器一般に言えることである。
【０００７】
そこで本発明は、冷却のための電力消費をなくすとともに冷却のための動作音を抑制することができる電気機器の冷却装置及びプロジェクターを提供することを目的とする。
【課題を解決するための手段】
【０００８】
［１］本発明における電気機器の冷却装置は、交流電力の出力が可能な交流電力出力部と当該交流電力出力部に接続されている負荷とを有する電気機器の内部の所定箇所を冷却対象箇所として冷却を行う電気機器の冷却装置であって、磁性体からなる芯材と、当該芯材に巻回され、前記交流電力出力部と負荷との間に直列に接続されている巻き線部とを有し、前記巻き線部に流れる電流の方向が反転することにより、前記芯材の一方の端部及び他方の端部の極性がそれぞれ反転する電磁石と、前記冷却対象箇所に対して送風可能な位置に設けられ、一端が支持部によって支持され、当該支持部を支点として首振り動作を行う送風板と、前記芯材の一方の端子に対して吸着／反発動作が可能となるように前記送風板に取り付けられている永久磁石と、を備え、前記交流電力出力部から出力される交流電力の周波数に対応した周期で前記送風板を首振り動作させ、当該首振り動作により発生する風によって前記冷却対象箇所を冷却することを特徴とする。
【０００９】
本発明における電気機器の冷却装置は、電気機器が本来の動作を行うための電流を利用して送風板を首振り動作させて、冷却風を発生するようにしている。このように本発明の冷却装置は、冷却を行うための電力を冷却装置に供給して冷却動作を行うというものではないため、冷却を行うための余分な電力消費をなくすことができる。また、電動ファンを回転させるものではないため、電動ファンの回転音がなく冷却のための動作音を抑制することができる。
なお、送風板が行う首振り動作というのは、団扇などで高速に扇ぐ動作と同様の動作である。
【００１０】
［２］本発明における電気機器の冷却装置においては、前記送風板は、弾性を有する板で形成されていることが好ましい。
【００１１】
このように、送風板が弾性を有する板で形成されていることにより、送風板が首振り動作を行う際の回転角度以上に送風板の先端部の移動範囲を広くすることができる。このため、送風板の首振り動作の回転角度を小さく設定しても、送風量を多くすることができる。
【００１２】
［３］本発明における電気機器の冷却装置においては、前記永久磁石は、前記送風板の先端部と前記支持部の側の根元部との間の中間位置よりも前記根元部の側に取り付けられていることが好ましい。
【００１３】
永久磁石が送風板においてこのような位置に取り付けられていることにより、吸着／反発動作を行う際の永久磁石の移動量は少なくても、送風板の先端部の移動範囲を広くすることができる。このため、送風量を多くすることができる。
【００１４】
［４］本発明における電気機器の冷却装置においては、前記交流電力出力部は、インバーター回路であることが好ましい。
【００１５】
電気機器においては、インバーター回路が設けられているものの多く、このような電気機器においては、当該インバーター回路から出力される交流電力によって本発明における電気機器の冷却装置を駆動させることができる。
【００１６】
［５］本発明における電気機器の冷却装置においては、前記交流電力出力部は、交流電力の周波数を変化させることができる制御部を有し、前記制御部によって前記周波数を制御することにより、前記芯材の一方の端部及び他方の端部の極性が反転する周期を制御可能とすることも好ましい。
【００１７】
このように、送風板が行う首振り動作の周期を制御可能することにより、首振り動作速度を制御することができる。それによって、送風板が発生する冷却風の風量を制御することができる。
【００１８】
［６］本発明における電気機器の冷却装置においては、前記冷却対象箇所が前記電気機器の電気部品のうちのある特定の電気部品である場合、前記制御部は、前記特定の電気部品の温度又は当該電気部品を流れる電流値の少なくとも一方に基づいて前記交流電力の周波数を制御することが好ましい。
【００１９】
これにより、冷却対象とする電気部品の発熱量に応じて、送風板が行う首振り動作の周期を制御することができ、首振り動作の速度を制御することができる。すなわち、冷却対象とする電気部品の発熱量に応じて送風量を制御することができる。例えば、負荷に流れる電流値が増加すると負荷の発熱量が増加する場合においては、電流値の増加に応じて周波数を高くして、送風板の首振り動作を高速とするような制御を行うことによって送風量を多くし、逆に、電流値の減少に応じて周波数を低くして、送風板の首振り動作を低速とすることによって送風量を少なくするというような制御を行う。
【００２０】
また、負荷の温度を監視して、温度に応じて周波数を可変させるようにしてもよい。例えば、負荷の温度の上昇に応じて周波数を高くして、送風板の首振り動作を高速とするような制御を行い、逆に、負荷の温度の減少に応じて周波数を低くして、送風板の首振り動作を低速とするような制御を行う。
【００２１】
［７］本発明における電気機器の冷却装置においては、前記負荷が直流電力で駆動される負荷である場合には、前記交流電力出力部から出力される交流電力を直流電力に変換する交流／直流変換部を設け、前記電磁石の巻き線部は、前記交流電力出力部と交流／直流変換部との間に直列に接続することが好ましい。
【００２２】
このような構成とすることにより、交流電力出力部からの交流電力を、直流駆動される負荷に対して直流電力として供給するような電気回路においても本発明における電気機器の冷却装置を組み込むことができる。
【００２３】
［８］本発明のプロジェクターは、画像を投写するための光源と、当該光源を交流電力によって駆動するバラスト回路と、を有するプロジェクターであって、前記［１］〜［７］のいずれかに記載の電気機器の冷却装置を備えていることを特徴とするプロジェクター。
【００２４】
本発明のプロジェクターによれば、前記［１］〜［７］のいずれかに記載の電気機器の冷却装置を有しているため、前記［１］〜［７］に記載した電気機器の冷却装置によって得られる効果と同様の効果が得られる。
【００２５】
［９］本発明のプロジェクターは、前記バラスト回路を前記交流電力出力部として用いることが好ましい。
【００２６】
バラスト回路はプロジェクターにおいて一般的に備えられている回路である。このように、プロジェクターに一般的に備えられている回路を用いて電磁石を駆動することができるため、冷却を行うための電気回路を特別に設ける必要がなくなる。
【００２７】
［１０］本発明のプロジェクターは、前記冷却対象箇所は、前記光源であることが好ましい。
【００２８】
これにより、点灯時に高温となる光源を効率よく冷却することができる。この場合、送風板が発生する冷却風を効率的に光源に導くためのガイド板などを設けることが好ましい。
【図面の簡単な説明】
【００２９】
【図１】実施形態１を説明するために示す図。
【図２】図１に示す送風板１２０を取り出して示す側面図。
【図３】冷却装置１００の動作を説明するために示す図。
【図４】実施形態２を説明するために示す図。
【図５】直流電力によって駆動される負荷に対して交流電力を直流電力として供給可能とするような電気回路に冷却装置１００を組み込んだ場合を説明する図。
【発明を実施するための形態】
【００３０】
以下、本発明の実施形態について説明する。
【００３１】
［実施形態１］
図１は、実施形態１を説明するために示す図である。実施形態１においては、電気機器の冷却装置１００（以下では、「電気機器の」を省略して単に「冷却装置１００」と表記する場合もある）を一般的な電気機器１０に組み込んだ場合について説明する。冷却装置１００は、図１に示すように、磁性体からなる芯材１１１と当該芯材１１１に巻回されている巻き線部１１２とを有する電磁石１１０と、電磁石１１０の近傍に設けられ、支持部１２１を支点として所定角度での首振り動作が可能な送風板１２０と、電磁石１１０の芯材１１１の一方の端部１１１ａに対して吸着／反発動作が可能となるように送風板１２０に取り付けられている永久磁石１３０とを備えている。なお、「電磁石１１０の近傍」というのは、送風板１２０が電磁石１１０の力を受けて動くことができる程度の位置であるとする。
【００３２】
このように構成された冷却装置１００は、電磁石１１０における芯材１１１の一方の端部１１１ａ（第１端部１１１ａという）及び他方の端部１１１ｂ（第２端部１１１ｂという）の各極性（Ｎ極及びＳ極）が反転することにより、送風板１２０に取り付けられている永久磁石１３０が芯材１１１の第１端部１１１ａに対して吸着／反発動作を行い、それによって、送風板１２０が支持部１２１を支点として首振り動作（送風動作ともいう）を行うものである。
【００３３】
送風板１２０がこのような首振り動作を行うようにするには、電磁石１１０の巻き線部１１２に流す電流の方向を所定周期で反転させるようにすればよい。そこで、電気機器１０が交流電力出力部を備えている場合には、当該交流電力出力部から出力される交流電力によって電磁石１１０を駆動させるようにすれば、送風板１２０を首振り動作させることができる。
【００３４】
図１に示すように、電気機器１０の電気回路２００においては、コンセントなどから入力される商用交流電力を直流電力に変換する電源回路２１０と、当該電源回路２１０から出力される直流電力を所定の周波数の交流電力に変換して出力する交流電力出力部２２０（以下、インバーター回路２２０という）とを備えている場合がある。
【００３５】
このような電気回路２００においては、図１に示すように、インバーター回路２２０と、交流電力によって駆動される負荷２３０との間に、電磁石１１０の巻き線部１１２を直列に接続する。すなわち、インバーター回路２２０から負荷２３０を経由してインバーター回路２２０に戻る電流経路に電磁石１１０の巻き線部１１２に直列に接続する。
【００３６】
なお、インバーター回路２２０は、原理的には、ブリッジ回路を構成する４つのスイッチング素子Ｓ１１〜Ｓ１４と、これらスイッチング素子Ｓ１１〜Ｓ１４をオン・オフ制御する制御部２２１とによって構成することができる。なお、図１において、制御部２２１から各スイッチング素子Ｓ１１〜Ｓ１４に制御信号を送るための信号線は図示を省略している。
【００３７】
このような構成において、制御部２２１によって、４つのスイッチング素子Ｓ１１〜Ｓ１４をオン・オフ制御することにより、電流の方向を反転させることができる。具体的には、スイッチング素子Ｓ１１，Ｓ１４をオンさせると同時にスイッチング素子Ｓ１２，Ｓ１３をオフさせる制御と、スイッチング素子Ｓ１１，Ｓ１４をオフさせると同時にスイッチング素子Ｓ１２，Ｓ１３をオンさせる制御とを、それぞれ交互に行うことにより、電流の方向を反転させることができる。なお、電流の方向を反転させる周期すなわち交流電力の周波数は制御部２２１によって制御可能であるとする。
【００３８】
図２は、図１に示す送風板１２０を取り出して示す側面図である。送風板１２０は、多少の弾力性を有する合成樹脂製の部材を薄板状に形成したものを好ましく用いることができる。また、送風板１２０の形状は、図２に示すように、例えば、先端部１２０ａが支持部１２１側の根元部１２０ｂよりも幅広の形状のものが好ましい。ただし、送風板１２０の形状は特に限定されるものではない。
【００３９】
また、永久磁石１３０の送風板１２０への取り付け位置は、芯材１１１の第１端部１１１ａに対向する位置で、かつ、送風板１２０の根元部１２０ｂに比較的近い位置が好ましい。具体的には、送風板１２０の先端部１２０ａと根元部１２０ｂとの間の中間位置Ｐ１よりも根元部１２０ｂ側の位置に取り付けるようにすることが好ましい。また、永久磁石１３０は、芯材１１１の第１端部１１１ａに対向する側の極性がＳ極となるように送風板１２０に取り付けられているものとする。
【００４０】
このように構成された送風板１２０は、電磁石１１０の巻き線部１１２に流れる電流の方向が反転することにより、芯材１１１の第１端部１１１ａとの間で吸着／反発動作を行う。これにより、送風板１２０は支持部１２１を支点として首振り動作を行う。この首振り動作は、団扇で扇ぐような動作と同様の動作である。
【００４１】
なお、永久磁石１３０は、芯材１１１の第１端部１１１ａに吸着動作を行う際に、永久磁石１３０が芯材１１１の第１端部１１１ａに当接すると、当接したときの音（当接音という）が発生することとなる。このような当接音は騒音ともなり得るため、当接音が発生しないようにすることが好ましい。当接音が発生しないようにするための方法としては、永久磁石１３０が芯材１１１の第１端部１１１ａに当接する直前で、送風板１２０がそれ以上、第１端部１１１ａ側に移動することを規制するような機構を設けたり、芯材１１１の第１端部１１１ａ又は永久磁石１３０の少なくとも一方の側に、当接音を弱めることができるような緩衝材を貼付したりする方法などがある。
【００４２】
ところで、冷却装置１００における冷却対象となる電気部品は、電源回路２１０であるとし、特に電源回路２１０において発熱量の多い部品が実装されている箇所（例えば、図示において一点鎖線で囲まれている灰色で示した箇所）２１０ａが冷却対象箇所であるとする。このため、送風板１２０から発生する冷却風が、冷却対象箇所２１０ａに効率よく流通するように送風板１２０を配置する。送風板１２０をこのように配置することにより、高い冷却効果を得ることができる。
【００４３】
次に、このように構成された冷却装置１００の動作を説明する。
図３は、冷却装置１００の動作を説明するために示す図である。図３（ａ）はインバーター回路２２０からの電流が矢印Ａ方向の流れである場合の動作を示す図であり、図３（ｂ）はインバーター回路２２０からの電流が矢印Ａとは反対方向（矢印Ａ’方向とする）の流れである場合の動作を示す図である。
【００４４】
インバーター回路２２０から負荷２３０に対して、例えば６０Ｈｚの周波数の交流電力が出力されるとすれば、電磁石１１０の巻き線部１１２に流れる電流の方向は、毎秒６０回反転し、それに伴って、電磁石１１０における芯材１１１の第１端部１１１ａ及び第２端部１１１ｂの各極性が反転する。
【００４５】
すなわち、インバーター回路２２０からの電流が、図３（ａ）に示すように、矢印Ａ方向である場合には、芯材１１１の第１端部１１１ａがＮ極、第２端部１１１ｂがＳ極となる。また、インバーター回路２２０からの電流が、図３（ｂ）に示すように、矢印Ａ’方向である場合には、芯材１１１の第１端部１１１ａがＳ極、第２端部１１１ｂがＮ極となる。このような極性の反転は、交流電力の周波数が６０Ｈｚである場合、毎秒６０回行われる。
【００４６】
このように、電流の方向が反転することに伴って、電磁石１１０における芯材１１１の極性が反転するため、送風板１２０に設けられている永久磁石１３０は、芯材１１１の第１端部１１１ａとの間で吸着／反発動作を行う。これにより、送風板１２０は支持部１２１を支点として、図３におけるａ方向及びｂ方向に首振り動作を行い、それによって、冷却風Ｗが発生する。
【００４７】
すなわち、インバーター回路２２０から負荷２３０に対して、例えば６０Ｈｚの周波数の交流電力が出力されるとすれば、送風板１２０は、支持部１２１を支点として矢印ａ方向及び矢印ｂ方向に毎秒６０回の首振り動作を行う。このような首振り動作は、団扇で高速で扇ぐ動作と同様の動作であるため、冷却対象箇所２１０ａを冷却するに十分な冷却風Ｗを発生することができる。
【００４８】
また、冷却装置１００においては、永久磁石１３０が送風板１２０の根元部１２０ｂに比較的近い部分に取り付けられるため、吸着／反発動作を行う際の永久磁石１３０の移動量は少なくても、送風板１２０の先端部１２０ａの移動範囲を広くすることができる。このため、送風板１２０からの送風量を多くすることができる。また、送風板１２０が多少の弾性を有する薄板で形成されていることにより、送風板１２０が首振り動作を行う際の回転角度以上に送風板１２０の先端部１２０ａの移動範囲を広くすることができる。このため、送風板１２０が行う首振り動作の回転角度を小さく設定しても、送風板１２０からの送風量を多くすることができる。
【００４９】
以上説明したように、実施形態１においては、冷却装置１００における電磁石１１０の巻き線部１１２が、電気機器１０に元々設けられている電気回路に組み込まれており、当該電気機器１０が本来の動作を行うための電流を利用して送風板１２０を作動させている。したがって、冷却を行うための専用の電力を冷却装置に供給して冷却動作を行うというものではないため、冷却を行うための余分な電力消費がない。また、モーターによってファンを回転させるものではないため、ファンの回転音がなく動作音を抑制することがきる。
【００５０】
［実施形態２］
図４は、実施形態２を説明するために示す図である。実施形態２においては、本発明の冷却装置１００をプロジェクターＰＪに組み込んだ場合について説明する。なお、図４はプロジェクターＰＪにおける電気回路３００の一部を示し、ここでは、図１に示す電源回路２１０と同様の機能を有する電源回路３１０と、画像の投写を行うための光源としてのランプ３２０と、ランプ３２０に与える電力を一定とするためのバラスト回路３３０とが図示されており、プロジェクターＰＪの電気回路を構成するその他の構成要素については図示が省略されている。
【００５１】
実施形態２においては、冷却装置１００は、図４に示すように、プロジェクターＰＪのランプ３２０を冷却対象箇所とし、当該ランプ３２０を冷却するための冷却装置として組み込まれている。このため、冷却装置１００は、ランプ３２０を収納するランプハウジング３４０の近くに設置される。また、送風板１２０から発生する冷却風Ｗがランプ３２０の管球部３２１に効率よく当たるように、冷却風Ｗの流れをガイドする冷却風ガイド３５０を設けている。
【００５２】
また、実施形態２においては、電磁石１１０の巻き線部１１２は、交流電力出力部としてのバラスト回路３３０と、負荷としてのランプ３２０とを接続するための接続線に直列に接続する。バラスト回路３３０はインバーター回路（図４においては図示せず）を有しており、当該インバーター回路から出力される交流電力を、ランプ３２０に供給している。このため、実施形態２においては、バラスト回路３３０とランプ３２０との間に電磁石１１０の巻き線部１１２を直列に接続するようにしている。
【００５３】
具体的には、ランプ３２０の両電極（図示せず）に接続されるリード線Ｌ１，Ｌ２のうち、例えば、リード線Ｌ１とバラスト回路３３０との間に電磁石１１０の巻き線部１１２を介在させるような構成とする。なお、バラスト回路３３０に存在するインバーター回路は図示されていないが、図１に示すインバーター回路２２０と同様に構成することができる。
【００５４】
このような構成とすることによっても、送風板１２０は、実施形態１と同様に高速で首振り動作を行う。これにより、ランプ３２０を冷却するに十分な冷却風Ｗを発生することができ、ランプ３２０を効率よく冷却することができる。なお、電流の方向が反転することによる冷却装置１００の動作については、図３により説明した動作と同様であるため、ここではその説明は省略する。
【００５５】
実施形態２においても、電磁石１１０の巻き線部１１２が、プロジェクターＰＪに元々設けられている電気回路に組み込まれており、プロジェクターＰＪが本来の動作を行うための電流を利用して送風板１２０を作動させている。したがって、冷却を行うための専用の電力を冷却装置１００に供給して冷却動作を行うというものではないため、冷却を行うための余分な電力消費がない。また、ファンを回転させるものではないため、ファンの回転音がなく動作音の抑制が図れる。
【００５６】
なお、本発明は上記の実施形態に限られるものではなく、本発明の要旨を逸脱しない範囲で種々変形実施可能となるものである。例えば、下記に示すような変形実施も可能である。
【００５７】
（１）上記各実施形態においては、送風板１２０の首振り動作の周期（速度）を制御することについては、具体的に言及しなかったが、インバーター回路２２０から出力される交流電力の周波数を変化させることができる場合には、周波数を変化させることにより、送風板１２０の首振り動作の周期（速度）を制御することができる。例えば、負荷２３０に流れる電流値に応じて首振り動作の速度（周期）を制御することが可能である。
【００５８】
具体的には、負荷２３０に流れる電流値が増加すると、当該負荷２３０の発熱量が増加するというような関係がある場合においては、電流値の増加に伴って周波数を高くして、送風板１２０の首振り動作を高速とするような制御を行い、逆に、電流値が減少した場合には、周波数を低くして、送風板の首振り動作を低速とするような制御を行う。なお、このような制御を行う場合、電流値の変化に対して周波数の変化をリニアーに比例させるようにしてもよく、また、電流値に１つ以上の閾値を設定して、電流値が閾値に達すると、当該閾値に対応した周波数となるような制御を行ってもよい。
【００５９】
また、負荷に流れる電流値ではなく、負荷の温度を監視して、温度に応じて周波数を変化させるようにしてもよい。例えば、負荷の温度に対応した温度信号を出力可能な温度センサーを設けて、当該温度センサーから出力される温度信号に基づいて周波数を制御する。この場合も、温度の上昇に伴って周波数を高くして、送風板１２０の首振り動作を高速とするような制御を行い、逆に、温度の下降に伴って周波数を低くして、送風板の首振り動作を低速とするような制御を行う。
【００６０】
なお、このような制御を行う場合、温度の変化に対して周波数の変化をリニアーに比例させるようにしてもよく、また、温度に１つ以上の閾値を設定して、温度が閾値に達すると、当該閾値に対応した周波数となるような制御を行ってもよい。なお、ここでいう負荷の温度というのは、負荷に温度センサーを直接接触した状態で得られた温度であってもよく、また、負荷の周辺温度の計測が可能となるように設置した温度センサーによって得られた温度であってもよい。
【００６１】
また、負荷を流れる電流値及び負荷の温度の両方に基づいて、周波数を制御するようにしてもよく、例えば、電流値及び温度にそれぞれにおいて閾値を設定しておき、電流値及び温度がそれぞれにおいて設定されている閾値を超えたときに、周波数を所定の周波数とするというようにしてもよい。
【００６２】
なお、以上のように周波数を変化させる場合、周波数は負荷の動作に大きな影響を与えない範囲で変化させることが好ましい。
【００６３】
（２）上記実施形態１においては、負荷２３０が交流電力によって駆動される負荷であるとしている。このため、図１に示すように、インバーター回路２２０から出力される交流電力を、当該負荷２３０に供給するような電気回路となっており、このような電気回路に冷却装置１００を組み込んだ場合について説明したが、負荷２３０が直流電力によって駆動される負荷であって、当該直流電力によって駆動される負荷に対して、インバーター回路２２０からの交流電力を直流電力として供給可能とするような電気回路においても冷却装置１００を組み込むことが可能である。
【００６４】
図５は、直流電力によって駆動される負荷に対して交流電力を直流電力として供給可能とするような電気回路に冷却装置１００を組み込んだ場合を説明する図である。この場合、負荷２３０が直流で駆動される負荷であるため、図５に示すように、交流電力出力部（インバーター回路２２０）から出力される交流電力を直流電力に変換する交流／直流変換部２４０を設け、当該交流／直流変換部２４０に負荷２３０を接続した構成となっている。そして、電磁石１１０の巻き線部１１２は、インバーター回路２２０と交流／直流変換部２４０との間に直列に接続されている。
なお、交流／直流変換部２４０の出力端子ｔ１、ｔ２のうち、出力端子ｔ１を正側端子とし、出力端子ｔ２を負側端子とする。
【００６５】
交流／直流変換部２４０は、図５に示すように、ブリッジ回路を構成する４つのスイッチング素子Ｓ２１〜Ｓ２４と、これら各スイッチング素子Ｓ２１〜Ｓ２４をオン・オフ制御する制御部２４１とによって構成することができる。なお、制御部２４１は、インバーター回路２２０の制御部２２１が行うスイッチング素子Ｓ１１〜Ｓ１４のオン・オフ制御に同期して、スイッチング素子Ｓ２１〜Ｓ２４をオン・オフ制御する。以下では、インバーター回路２２０の制御部２２１を「第１制御部２２１」とし、交流／直流変換部２４０の制御部２４１を「第２制御部２４１」として説明する。また、第２制御部２４１から各スイッチング素子Ｓ２１〜Ｓ２４に制御信号を送るための信号線は図示を省略している。
【００６６】
このように構成された交流／直流変換部２４０の動作は、例えば、インバーター回路２２０からの電流が、図５（ａ）に示すように、矢印Ａ方向である場合には、交流／直流変換部２４０のスイッチング素子Ｓ２１，Ｓ２４をオンさせると同時に、スイッチング素子Ｓ２２，Ｓ２３をオフさせる。これにより、交流／直流変換部２４０の出力端子ｔ１は正となり、交流／直流変換部２４０の出力端子ｔ２は負となる。
【００６７】
また、図５（ａ）の状態において、インバーター回路２２０からの電流が、図５（ｂ）に示すように、矢印Ａ’方向に反転した場合には、スイッチング素子Ｓ２１，Ｓ２４をオフさせると同時に、スイッチング素子Ｓ２２，Ｓ２３をオンさせる。これにより、交流／直流変換部２４０の出力端子ｔ１は正を保持し、交流／直流変換部２４０の出力端子ｔ２は負を保持した状態となる。
【００６８】
このように、インバーター回路２２０によって電流の方向が反転しても、交流／直流変換部２４０の出力端子ｔ１は常に「正」となり、交流／直流変換部２４０の出力端子ｔ２は常に「負」となり、負荷２３０に直流電力を供給することができる。
【００６９】
このような構成とすることにより、インバーター回路２２０からの交流電力を、直流駆動される負荷に対して直流電力として供給するような電気回路においても冷却装置１００を組み込むことができる。
【００７０】
なお、交流／直流変換部２４０は、図５に示すように、４つのスイッチング素子Ｓ２１〜Ｓ２４と、これら各スイッチング素子Ｓ２１〜Ｓ２４をインバーター回路２２０のスイッチング素子の切り替えに同期して制御する制御部２４１（第２制御部２４１）とを有するものとしたが、このような構成の交流／直流変換部２４０に限られるものではなく、例えば、ダイオードを用いた一般的なブリッジ整流回路としてもよい。このようなブリッジ整流回路を用いることにより、インバーター回路２２０のスイッチング素子の切り替えに同期して制御する制御部２４１（第２制御部２４１）は不要となる。
【符号の説明】
【００７１】
１０・・・電気機器、１００・・・冷却装置、１１０・・・電磁石、１１１・・・芯材、１１２・・・巻き線部、１２０・・・送風板，１２０ａ・・・送風板の先端部、１２０ｂ・・・送風板の根元部、１２１・・・支持部、１３０・・・永久磁石、２００，３００・・・電気回路、２１０，３１０・・・電源回路、２１０ａ・・・冷却対象箇所、２２０・・・交流電力出力部（インバーター回路）、２２１・・・制御部（第１制御部）、２４０・・・交流／直流変換部、２４１・・・制御部（第２制御部）、２３０・・・負荷、Ｓ１１〜Ｓ１４・・・インバーター回路２２０のスイッチング素子、Ｓ２１〜Ｓ２４・・・交流／直流変換部２４０のスイッチング素子、３２０・・・ランプ（光源）、ＰＪ・・・プロジェクター、Ｗ・・・冷却風、
【図２】
2013213970.tif 000003
【図４】
2013213970.tif 000004
【図１】
2013213970.tif 000005
【図３】
2013213970.tif 000006
【図５】
2013213970.tif 000007